(57)【要約】  本開示の一態様に係るユーザ端末は、セルグループの設定情報を受信する受信部と、前記セルグループ内のセル内に設定されるサーチスペースにおける、前記設定情報に含まれる所定の識別子でスクランブルされる巡回冗長検査（ＣＲＣ）ビットを有する下り制御情報（ＤＣＩ）の監視を制御する制御部と、を具備する。
2019215876.tif 000002
【特許請求の範囲】
【請求項１】
セルグループの設定情報を受信する受信部と、
前記セルグループ内のセル内に設定されるサーチスペースにおける、前記設定情報に含まれる所定の識別子でスクランブルされる巡回冗長検査（ＣＲＣ）ビットを有する下り制御情報（ＤＣＩ）の監視を制御する制御部と、
を具備することを特徴とするユーザ端末。
【請求項２】
前記所定の識別子は、ＣＳ−ＲＮＴＩ（Configured  Scheduling−Radio  Network  Temporary  Identifier）であることを特徴とする請求項１に記載のユーザ端末。
【請求項３】
前記サーチスペースは、前記セルグループ内のプライマリセル（Ｐセル）又はプライマリセカンダリセル（ＰＳセル）においてセル固有の下り制御チャネルに関する情報に基づいて設定される共通サーチスペース、前記セルグループ内の前記Ｐセル又は前記ＰＳセルとセカンダリセル（Ｓセル）においてユーザ端末固有の下り制御チャネルに関する情報に基づいて設定される共通サーチスペース及びユーザ端末固有サーチスペース、前記Ｐセル又は前記ＰＳセルにおいて前記ユーザ端末固有の下り制御チャネルに関する情報に基づいて設定される共通サーチスペースの少なくとも一つであることを特徴とする請求項１又は請求項２に記載のユーザ端末。
【請求項４】
前記制御部は、前記セル内のアクティブ状態の帯域幅部分に対して動的スケジューリングなしの下り又は上りの送信が設定される場合、前記サーチスペースにおける前記下り制御情報の監視を制御することを特徴とする請求項１から請求項３のいずれかに記載のユーザ端末。
【請求項５】
前記ＤＣＩは、下り共有チャネル又は上り共有チャネルがスケジューリングされるセルを示す第１のフィールドを含み、
前記制御部は、前記ＤＣＩに基づいて、前記第１のフィールドが示す前記セルにおける動的スケジューリングなしの下り又は上りの送信のアクティブ化又は非アクティブ化を制御することを特徴とする請求項１から請求項４のいずれかに記載のユーザ端末。
【請求項６】
前記ＤＣＩは、下り共有チャネル又は上り共有チャネルがスケジューリングされる帯域幅部分を示す第２のフィールドを含み、
前記制御部は、前記ＤＣＩに基づいて、前記第２のフィールドが示す前記帯域幅部分における動的スケジューリングなしの下り又は上りの送信のアクティブ化又は非アクティブ化を制御することを特徴とする請求項１から請求項４のいずれかに記載のユーザ端末。
【発明の詳細な説明】
【技術分野】
【０００１】
本開示は、次世代移動通信システムにおけるユーザ端末に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１４）においては、無線基地局（例えば、ｅＮＢ（eNode  B））は、物理レイヤの制御信号（例えば、下り制御情報（ＤＣＩ：Downlink  Control  Information））を、制御チャネル（例えば、ＰＤＣＣＨ（Physical  Downlink  Control  Channel））を用いてユーザ端末（ＵＥ：User  Equipment）に送信する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
既存のＬＴＥシステム（例えば、ＬＴＥ  Ｒｅｌ．８−１４）では、共通サーチスペース（ＣＳＳ：Common  Search  Space）は、セルグループ内の特定のセル（例えば、プライマリセル（ＰＣｅｌｌ：Primary  Cell、Ｐセル等ともいう）又はプライマリセカンダリセル（ＰＳＣｅｌｌ：Primary  Secondary  Cell、Ｓセル等ともいう））に設けられるが、当該セルグループ内の他のセル（例えば、セカンダリセル（ＳＣｅｌｌ：Secondary  Cell）、Ｓセル等ともいう）には設けられない。また、ユーザ固有サーチスペース（ＵＳＳ：User-specific  Search  Space）は、セルグループ内のどのセルに設けられてもよい。【０００７】
一方、将来の無線通信システム（例えば、ＮＲ、５Ｇ、５Ｇ＋、Ｒｅｌ．１５以降）では、ＰＣｅｌｌ又はＰＳＣｅｌｌだけでなくＳＣｅｌｌにもＣＳＳを設けることが想定される。また、ＵＳＳは、セルグループ内のどのセルに設けられてもよい。このため、セルグループ内のセル内に設定されるサーチスペース（ＣＳＳ及びＵＳＳの少なくとも一つ）における下り制御情報（ＤＣＩ：Downlink  Control  Information）の監視（monitoring）をどのように制御するかが問題となる。【０００８】
本発明はかかる点に鑑みてなされたものであり、セルグループ内のセル内に設定されるサーチスペースにおけるＤＣＩの監視を適切に制御可能なユーザ端末を提供することを目的の一つとする。
【課題を解決するための手段】
【０００９】
本開示の一態様に係るユーザ端末は、セルグループの設定情報を受信する受信部と、前記セルグループ内のセル内に設定されるサーチスペースにおける、前記設定情報に含まれる所定の識別子でスクランブルされる巡回冗長検査（ＣＲＣ）ビットを有する下り制御情報（ＤＣＩ）の監視を制御する制御部と、を具備することを特徴とする。
【発明の効果】
【００１０】
本開示の一態様によれば、セルグループ内のセル内に設定されるサーチスペースにおけるＤＣＩの監視を適切に制御できる。
【図面の簡単な説明】
【００１１】
【図１】図１は、ＳＰＳ用及び設定グラント用のＲＲＣ構造の一例を示す図である。
【図２】図２は、第１の態様に係るＣＳ−ＲＮＴＩによってＣＲＣスクランブルされるＤＣＩの監視制御の一例を示す図である。
【図３】図３は、第１の態様の変更例に係るＣＳ−ＲＮＴＩによってＣＲＣスクランブルされるＤＣＩの監視制御の一例を示す図である。
【図４】図４Ａ及び４Ｂは、それぞれ、SPS-Config又はconfiguredGrantConfigが設定されていないのにＣＳ−ＲＮＴＩでＣＲＣスクランブルされるＤＣＩが監視されるＤＬ  ＢＷＰ及びサービングセルの一例を示す図である。
【図５】図５Ａ及び５Ｂは、第２の態様に係るＣＳ−ＲＮＴＩによってＣＲＣスクランブルされるＤＣＩの監視制御の一例を示す図である。
【図６】図６は、第４の態様に係るＳＰＳ／設定グラントのアクティブ化／非アクティブ化の制御の一例を示す図である。
【図７】図７は、第５の態様に係るＳＰＳ／設定グラントのアクティブ化／非アクティブ化の制御の一例を示す図である。
【図８】図８は、第６の態様に係るＳＰＳ／設定グラント用のリソース割り当ての一例を示す図である。
【図９】図９は、本実施の形態に係る無線通信システムの概略構成の一例を示す図である。
【図１０】図１０は、本実施の形態に係る無線基地局の全体構成の一例を示す図である。
【図１１】図１１は、本実施の形態に係る無線基地局の機能構成の一例を示す図である。
【図１２】図１２は、本実施の形態に係るユーザ端末の全体構成の一例を示す図である。
【図１３】図１３は、本実施の形態に係るユーザ端末の機能構成の一例を示す図である。
【図１４】図１４は、本実施の形態に係る無線基地局及びユーザ端末のハードウェア構成の一例を示す図である。
【発明を実施するための形態】
【００１２】
将来の無線通信システム（例えば、ＮＲ、５Ｇ、５Ｇ＋、Ｒｅｌ．１５以降）においては、物理レイヤの制御信号（例えば、下り制御情報（ＤＣＩ：Downlink  Control  Information））を、無線基地局（例えば、ＢＳ（Base  Station）、送受信ポイント（ＴＲＰ：Transmission/Reception  Point）、ｅＮＢ（eNodeB）、ｇＮＢ（NR  NodeB）などと呼ばれてもよい）からユーザ端末に対して送信するために、制御リソースセット（ＣＯＲＥＳＥＴ：COntrol  REsource  SET）が利用されることが検討されている。
【００１３】
ＣＯＲＥＳＥＴは、下り制御チャネル（例えば、ＰＤＣＣＨ（Physical  Downlink  Control  Channel））の割当て候補領域である。ＣＯＲＥＳＥＴは、所定の周波数領域リソースと時間領域リソース（例えば１又は２ＯＦＤＭシンボルなど）を含んで構成されてもよい。ＰＤＣＣＨ（又はＤＣＩ）は、ＣＯＲＥＳＥＴ内の所定のリソース単位にマッピングされる。
【００１４】
当該所定のリソース単位は、例えば、制御チャネル要素（ＣＣＥ：Control  Channel  Element）、一以上のＣＣＥを含むＣＣＥグループ、一以上のリソース要素（ＲＥ：Resource  Element）を含むリソース要素グループ（ＲＥＧ：Resource  Element  Group）、一以上のＲＥＧバンドル（ＲＥＧグループ）、物理リソースブロック（ＰＲＢ：Physical  Resource  Block）の少なくとも一つであればよい。
【００１５】
ユーザ端末は、ＣＯＲＥＳＥＴ内のサーチスペース（ＳＳ）を監視（monitor）（ブラインド復号）して当該ユーザ端末に対するＤＣＩを検出する。当該サーチスペースには、一以上のユーザ端末に共通の（セル固有の）ＤＣＩの監視に用いられるサーチスペース（共通サーチスペース（ＣＳＳ：Common  Search  Space））と、ユーザ端末固有のＤＣＩの監視に用いられるサーチスペース（ユーザ固有サーチスペース（ＵＳＳ：User-specific  Search  Space））とが含まれてもよい。
【００１６】
ＣＳＳには、以下の少なくとも一つが含まれてもよい。
・タイプ０−ＰＤＣＣＨ  ＣＳＳ
・タイプ０Ａ−ＰＤＣＣＨ  ＣＳＳ
・タイプ１−ＰＤＣＣＨ  ＣＳＳ
・タイプ２−ＰＤＣＣＨ  ＣＳＳ
・タイプ３−ＰＤＣＣＨ  ＣＳＳ
【００１７】
タイプ０−ＰＤＣＣＨ  ＣＳＳは、ＳＩＢ１用のＳＳ、ＲＭＳＩ（Remaining  Minimum  System  Informatio）用のＳＳ等とも呼ばれる。タイプ０−ＰＤＣＣＨ  ＣＳＳは、所定の識別子（例えば、ＳＩ−ＲＮＴＩ：System  Information−Radio  Network  Temporary  Identifier）で巡回冗長検査（ＣＲＣ：Cyclic  Redundancy  Check）スクランブルされるＤＣＩ用のサーチスペース（ＳＩＢ１を伝送する下り共有チャネル（ＰＤＳＣＨ：Physical  Downlink  Shared  Channel）をスケジューリングするＤＣＩのモニタリング用のサーチスペース）であってもよい。
【００１８】
ここで、ＣＲＣスクランブルとは、ＤＣＩに対して、所定の識別子でスクランブル（マスク）されるＣＲＣビットを付加する（含める）ことである。
【００１９】
タイプ０Ａ−ＰＤＣＣＨ  ＣＳＳは、ＯＳＩ（Other  System  Information）用のＳＳ等とも呼ばれる。タイプ０Ａ−ＰＤＣＣＨ  ＣＳＳは、所定の識別子（例えば、ＳＩ−ＲＮＴＩ）でＣＲＣスクランブルされるＤＣＩ用のサーチスペース（ＯＳＩを伝送するＰＤＳＣＨをスケジューリングするＤＣＩのモニタリング用のサーチスペース）であってもよい。
【００２０】
タイプ１−ＰＤＣＣＨ  ＣＳＳは、ランダムアクセス（ＲＡ）用のＳＳ等とも呼ばれる。タイプ１−ＰＤＣＣＨ  ＣＳＳは、所定の識別子（例えば、ＲＡ−ＲＮＴＩ（Random  Access−RNTI）、ＴＣ−ＲＮＴＩ（Temporary  Cell−RNTI）又はＣ−ＲＮＴＩ（Cell―RNTI））でＣＲＣスクランブルされるＤＣＩ用のサーチスペース（ＲＡ手順用のメッセージ（例えば、ランダムアクセス応答（メッセージ２）、衝突解決用メッセージ（メッセージ４））を伝送するＰＤＳＣＨをスケジューリングするＤＣＩのモニタリング用のサーチスペース）であってもよい。
【００２１】
タイプ２−ＰＤＣＣＨ  ＣＳＳは、ページング用のＳＳ等とも呼ばれる。タイプ２−ＰＤＣＣＨ  ＣＳＳは、所定の識別子（例えば、Ｐ−ＲＮＴＩ：Paging−RNTI）でＣＲＣスクランブルＤＣＩ用のサーチスペース（ページングを伝送するＰＤＳＣＨをスケジューリングするＤＣＩのモニタリング用のサーチスペース）であってもよい。
【００２２】
タイプ３−ＰＤＣＣＨ  ＣＳＳは、所定の識別子（例えば、ＤＬプリエンプション指示用のＩＮＴ−ＲＮＴＩ（Interruption  RNTI）、スロットフォーマット指示用のＳＦＩ−ＲＮＴＩ（Slot  Format  Indicator  RNTI）、ＰＵＳＣＨ（Physical  Uplink  Shared  Channel）の送信電力制御（ＴＰＣ：Transmit  Power  Control）用のＴＰＣ−ＰＵＳＣＨ−ＲＮＴＩ、ＰＵＣＣＨ（Physical  Uplink  Control  Channel）のＴＰＣ用のＴＰＣ−ＰＵＣＣＨ−ＲＮＴＩ、ＳＲＳ（Sounding  Reference  Signal）のＴＰＣ用のＴＰＣ−ＳＲＳ−ＲＮＴＩ、Ｃ−ＲＮＴＩ、ＣＳ−ＲＮＴＩ（Configured  Scheduling  RNTI）又はＳＰ−ＣＳＩ−ＲＮＴＩ（Semi-Persistent-CSI-RNTI））でＣＲＣスクランブルＤＣＩ用のサーチスペースであってもよい。
【００２３】
また、ＵＳＳは、所定の識別子（例えば、Ｃ−ＲＮＴＩ、ＣＳ−ＲＮＴＩ又はＳＰ−ＣＳＩ−ＲＮＴＩ）でＣＲＣスクランブルされるＣＲＣビットが付加される（含まれる）ＤＣＩ用のサーチスペースであってもよい。
【００２４】
ところで、既存のＬＴＥシステム（例えば、ＬＴＥ  Ｒｅｌ．８−１４）では、ＣＳＳは、プライマリセル（ＰＣｅｌｌ：Primary  Cell）に設けられ、セカンダリセル（ＳＣｅｌｌ：Secondary  Cell）には設けられていない。一方、上記将来の無線通信システムでは、ＰＣｅｌｌだけでなくＳＣｅｌｌにもＣＳＳを設けることも想定される。このため、各セルグループ内のセル内に設定されるサーチスペースにおけるＤＣＩの監視をどのように制御するかが問題となる。
【００２５】
例えば、ユーザ端末は、ＳＩ−ＲＮＴＩ又はＰ−ＲＮＴＩでＣＲＣスクランブルされるＤＣＩを、ＰＣｅｌｌでのみ監視することが想定される。すなわち、上記タイプ０／０Ａ／２−ＰＤＣＣＨ  ＣＳＳ）は、プライマリセカンダリセル（ＰＳＣｅｌｌ：Primary  Secondary  Cell）及びＳＣｅｌｌには設けられなくともよい。
【００２６】
また、ユーザ端末は、ＲＡ−ＲＮＴＩ、ＴＣ−ＲＮＴＩ及びＣ−ＲＮＴＩでＣＲＣスクランブルされるＤＣＩを、ＰＣｅｌｌ（又は、ＰＣｅｌｌ及びＰＳＣｅｌｌ）で監視されることが想定される。すなわち、上記タイプ１−ＰＤＣＣＨ  ＣＳＳは、ＳＣｅｌｌには設けられなくともよい。
【００２７】
しかしながら、ユーザ端末は、ＣＳ−ＲＮＴＩでＣＲＣスクランブルされるＤＣＩをどのように監視するかが仕様で定められていない。このため、ユーザ端末は、ＣＳ−ＲＮＴＩでＣＲＣスクランブルされるＤＣＩを適切に検出できない恐れがある。
【００２８】
ここで、ＣＳ−ＲＮＴＩとは、動的スケジューリングなしの下り送信及び上り送信の少なくとも一つの制御に用いられる。当該下り送信は、セミパーシステントスケジューリング（ＳＰＳ：Semi-persistent  scheduling）、セミパーシステント送信、下りＳＰＳ等とも呼ばれる。また、当該上り送信は、設定グラント（configured  grant）、上り設定グラント等とも呼ばれる。
【００２９】
ＳＰＳでは、ＣＳ−ＲＮＴＩでＣＲＣスクランブルされるＤＣＩにより、所定周期のＰＤＳＣＨ送信のアクティブ化（activation）、非アクティブ化（deactivation）及び再送（retransmission）の少なくとも一つが制御されてもよい。
【００３０】
設定グラントでは、ＣＳ−ＲＮＴＩでＣＲＣスクランブルされるＤＣＩにより、所定周期のＰＵＳＣＨ送信のアクティブ化、非アクティブ化及び再送の少なくとも一つが制御されてもよい。
【００３１】
図１は、ＳＰＳ用及び設定グラント用のＲＲＣ（Radio  Resource  Control）構造の一例を示す図である。図１では、ユーザ端末に一以上のセル（サービングセル）を含むセルグループが設定され、各サービングセルに一以上の帯域幅部分（ＢＷＰ：Bandwidth  Part）が設定される場合のＲＲＣパラメータの構造が示される。
【００３２】
ここで、ＢＷＰとは、キャリア（サービングセル、セル、コンポーネントキャリア（ＣＣ：Component  Carrier）等ともいう）内の部分的な帯域である。ＢＷＰは、ＤＬ用のＢＷＰ（ＤＬ  ＢＷＰ）及びＵＬ用のＢＷＰ（ＵＬ  ＢＷＰ）を含んでもよい。なお、図１は例示にすぎず、１セルグループ内のサービングセル数、各サービングセル内のＢＷＰ数、ＢＷＰの伝送方向等は図示するものに限られない。
【００３３】
図１に示すように、セルグループ毎の設定（configuration）情報（CellGroupConfig等ともいう）がユーザ端末に通知される。CellGroupConfigは、マスターセルグループ（ＭＣＧ：Master  Cell  Group）又はセカンダリセルグループ（ＳＣＧ：Secondary  Cell  Group）の設定に用いられる。ＭＣＧは、ＰＣｅｌｌを含み、一以上のＳＣｅｌｌを含んでもよい。ＳＣＧは、ＰＳＣｅｌｌを含み、一以上のＳＣｅｌｌを含んでもよい。各セルグループは、単一のＭＡＣ（Medium  Access  Control）エンティティを有してもよい。
【００３４】
ＭＣＧ及びＳＣＧを用いた通信は、デュアルコネクティビティ（ＤＣ：Dual  Connectivity）とも呼ばれる。単一のセルグループ（例えば、ＭＣＧ）を用いた通信は、キャリアアグリゲーション（ＣＡ：Carrier  Aggregation）等とも呼ばれる。
【００３５】
図１に示すように、CellGroupConfigは、セルグループ毎に通知される。CellGroupConfigは、１セルグループ全体に適用されるＭＡＣパラメータの設定情報（MAC-CellGroupConfig等ともいう）を含んでもよい。MAC-CellGroupConfigは、ＣＳ−ＲＮＴＩに関する情報（ＣＳ−ＲＮＴＩ情報、cs-RNTI等ともいう）を含んでもよい。cs-RNTIは、例えば、ユーザ端末にセルグループ毎に設定されるＣＳ−ＲＮＴＩの値を示してもよい。
【００３６】
また、CellGroupConfigは、１セルグループ内の各サービングセルの設定情報（ServingCellConfig等ともいう）を含んでもよい。例えば、図１では、サービングセル＃１及び＃２にそれぞれ対応する２つのServingCellConfigがCellGroupConfigに含まれてもよい。
【００３７】
各ServingCellConfigは、１サービングセル内のＤＬ  ＢＷＰ毎の設定情報（BWP-Downlink）及びＵＬ  ＢＷＰ毎の設定情報（BWP-Uplink）の少なくとも一つを含んでもよい。例えば、図１では、サービングセル＃１用のServingCellConfigは、ＢＷＰ＃１用のBWP-Downlinkと、ＢＷＰ＃２用のBWP-Uplinkを含んでもよい。
【００３８】
BWP-Downlinkは、セル固有のＰＤＣＣＨに関する情報（pdcch-ConfigCommon）と、ユーザ端末固有のＰＤＣＣＨに関する情報（PDCCH-Config）を含んでもよい。例えば、図１に示すように、pdcch-ConfigCommonは、BWP-Downlink内の所定の情報項目（ＩＥ：Information  element）（例えば、BWP-DownlinkCommon）内に含まれてもよい。また、PDCCH-Configは、BWP-Downlink内の所定のＩＥ（例えば、BWP-DownlinkDedicated）内に含まれてもよい。
【００３９】
pdcch-ConfigCommonには、所定数のＣＳＳの設定に用いられる情報（commonSearchSpaces、SearchSpace等ともいう）が含まれてもよい。当該所定数のＣＳＳ（例えば、最大４つ）には、上記タイプ０−ＰＤＣＣＨ  ＣＳＳ（ＳＩＢ１用のＳＳ、ＲＭＳＩ用のＳＳ）、タイプ０Ａ−ＰＤＣＣＨ  ＣＳＳ（ＯＳＩ用のＳＳ）、タイプ１−ＰＤＣＣＨ  ＣＳＳ（ＲＡ用のＳＳ）、タイプ２−ＰＤＣＣＨ  ＣＳＳ（ページング用のＳＳ）の少なくとも一つが含まれてもよい。
【００４０】
pdcch-Configには、セル毎のＢＷＰ毎の所定数のＳＳを示す情報（searchSpacesToAddModList、SearchSpace等ともいう）が含まれてもよい。当該所定数のＳＳ（例えば、最大１０のＳＳ）には、一以上のＣＳＳ及び一以上のＵＳＳの少なくとも一つが含まれてもよい。
【００４１】
また、BWP-Downlinkは、ＳＰＳ（動的スケジューリングなしの下り送信）に関する設定情報（SPS-Config等ともいう）を含んでもよい。BWP-DownlinkがSPS-Configを含むか否かによって、当該BWP-Downlinkに対応するＤＬ  ＢＷＰでＳＰＳが設定されるか否かが判断されてもよい。例えば、図１では、ＢＷＰ＃１のBWP-DownlinkはSPS-Configを含むので、ＢＷＰ＃１にＳＰＳが設定される。なお、図１では、ＢＷＰ単位でＳＰＳが設定されるものとしたが、サービングセル単位でＳＰＳが設定されてもよい。
【００４２】
また、BWP-Uplinkは、設定グラント（動的スケジューリングなしの上り送信）に関する設定情報（ConfiguredGrantConfig等ともいう）を含んでもよい。BWP-UplinkがConfiguredGrantConfigを含むか否かによって、当該BWP-Uplinkに対応するＵＬ  ＢＷＰで設定グラントが設定されるか否かが判断されてもよい。例えば、図１では、ＢＷＰ＃２のBWP-UplinkはConfiguredGrantConfigを含むので、ＢＷＰ＃２に設定グラントが設定される。なお、図１では、ＢＷＰ単位で設定グラントが設定されるものとしたが、サービングセル単位で設定グラントが設定されてもよい。
【００４３】
以上のように、ユーザ端末に設定されるセルグループにＣＳ−ＲＮＴＩが設定される場合（CellGroupConfig内のMAC-CellGroupConfig内でcs-RNTIが含まれる場合）に、ユーザ端末が、当該セルグループ内のどの単位（サービングセル、ＢＷＰ及びサーチスペースの少なくとも一つ）でＣＳ−ＲＮＴＩでＣＲＣスクランブルされるＤＣＩを監視するかが問題となる。
【００４４】
そこで、本発明者らは、セルグループの設定情報（CellGroupConfig）に含まれる所定の識別子（例えば、ＣＳ−ＲＮＴＩ）でＣＲＣスクランブルされるＤＣＩの監視を、どのＲＲＣパラメータ（例えば、pdcch-ConfigCommon、pdcch-Config）に基づいて設定されるサーチペースであるか、及び、当該サーチスペースのタイプ（例えば、ＣＳＳ、ＵＳＳ）の少なくとも一つに基づいて制御することを着想し、本発明に至った。
【００４５】
以下、本実施の形態について、図面を参照して詳細に説明する。
【００４６】
（第１の態様）
第１の態様では、ユーザ端末に設定されるセルグループにＣＳ−ＲＮＴＩが設定される場合、ユーザ端末は、ＣＳ−ＲＮＴＩでＣＲＣスクランブルされるＤＣＩを、以下の少なくとも一つのサーチスペースで監視してもよい：
・ＰＣｅｌｌ／ＰＳＣｅｌｌにおいて、pdcch-ConfigCommonで設定される一以上のＣＳＳ、
・ＰＣｅｌｌ／ＰＳＣｅｌｌ及びＳＣｅｌｌにおいて、pdcch-Configで設定され、かつ、ＤＣＩフォーマット０＿０及び１＿０での監視が設定されるＣＳＳ、
・ＰＣｅｌｌ／ＰＳＣｅｌｌ及びＳＣｅｌｌにおいて、pdcch-Configで設定されるＵＳＳ。
【００４７】
ここで、ＣＳ−ＲＮＴＩが設定されるセルグループがＭＣＧである場合、「ＰＣｅｌｌ／ＰＳＣｅｌｌ」は、ＰＣｅｌｌを意味してもよい。ＣＳ−ＲＮＴＩが設定されるセルグループがＳＣＧである場合、「ＰＣｅｌｌ／ＰＳＣｅｌｌ」は、ＰＳＣｅｌｌを意味してもよい。また、ＤＣＩフォーマット０＿０は、ＰＵＳＣＨをスケジューリングの用いられるＤＣＩである。また、ＤＣＩフォーマット１＿０は、ＰＤＳＣＨのスケジューリングに用いられるＤＣＩである。
【００４８】
図２は、第１の態様に係るＣＳ−ＲＮＴＩによってＣＲＣスクランブルされるＤＣＩの監視制御の一例を示す図である。図２では、単一のセルグループ＃１だけを例示するが、ユーザ端末に設定されるセルグループ数は１に限られない。図２では、セルグループ＃１のCellGroupConfigのMAC-CellGroupConfig内でＣＳ−ＲＮＴＩが設定されるものとする。また、図２では、セルグループ＃１内にサービングセル＃１（ＰＣｅｌｌ／ＰＳＣｅｌｌ）及びサービングセル＃２（ＳＣｅｌｌ）が含まれるものとする。
【００４９】
なお、図２は例示にすぎず、セルグループ内のサービングセル数、各サービングセル内のＢＷＰ数等は、図示するものに限られない。また、図２では、各サービングセル内で一つのＤＬ  ＢＷＰ及び一つのＵＬ  ＢＷＰがアクティブ化されるものとするが、一以上のＤＬ  ＢＷＰ及び一以上のＵＬ  ＢＷＰの少なくとも一つがアクティブ化されればよい。
【００５０】
図２に示すように、ユーザ端末は、サービングセル＃１（ＰＣｅｌｌ／ＰＳＣｅｌｌ）において、pdcch-ConfigCommonで設定される全てのＣＳＳで、ＣＳ−ＲＮＴＩでＣＲＣスクランブルされるＤＣＩを監視してもよい。ここで、「pdcch-ConfigCommon」は、例えば、アクティブ化されているＢＷＰのBWP-DownlinkCommon内のpdcch-ConfigCommonであってもよいし、又は、設定されているＢＷＰ（configured  BWP）のBWP-DownlinkCommon内のpdcch-ConfigCommonであってもよいし、又は、ＳＩＢ１内のpdcch-ConfigCommonであってもよい。
【００５１】
また、ユーザ端末は、サービングセル＃１（ＰＣｅｌｌ／ＰＳＣｅｌｌ）及びサービングセル（ＳＣｅｌｌ）の双方において、pdcch-Configで設定され、かつ、ＤＣＩフォーマット０＿０及び１＿０での監視が設定されるＣＳＳで、ＣＳ−ＲＮＴＩでＣＲＣスクランブルされるＤＣＩを監視してもよい。ここで、「pdcch-Config」は、例えば、アクティブ化されているＢＷＰのBWP-DownlinkDedicated内のpdcch-Configであってもよいし、又は、設定されているＢＷＰのBWP-DownlinkDedicated内のpdcch-Configであってもよい。
【００５２】
また、ユーザ端末は、サービングセル＃１（ＰＣｅｌｌ／ＰＳＣｅｌｌ）及びサービングセル（ＳＣｅｌｌ）の双方において、pdcch-Configで設定されるＵＳＳで、ＣＳ−ＲＮＴＩでＣＲＣスクランブルされるＤＣＩを監視してもよい。「pdcch-Config」については、上記の通りである。
【００５３】
図２では、pdcch-Configによって設定され、かつ、ＤＣＩフォーマット０＿０及び１＿０の監視が設定されるＣＳＳであれば、ユーザ端末は、当該ＣＳＳがＰＣｅｌｌ／ＰＳＣｅｌｌに設定される場合だけでなくＳＣｅｌｌに設定される場合にも、当該ＣＳＳにおいてＣＳ−ＲＮＴＩでＣＲＣスクランブルされるＤＣＩを監視する。
【００５４】
＜変更例＞
上記第１の態様では、pdcch-Configで設定され、かつ、ＤＣＩフォーマット０＿０及び１＿０での監視が設定されるＣＳＳについては、ＰＣｅｌｌ／ＰＳＣｅｌｌに設定される場合だけでなくＳＣｅｌｌに設定される場合についても監視される。一方、第１の態様の変更例では、当該ＣＳＳについては、ＰＣｅｌｌ／ＰＳＣｅｌｌで監視され、ＳＣｅｌｌでは監視されなくともよい。
【００５５】
具体的には、ユーザ端末に設定されるセルグループにＣＳ−ＲＮＴＩが設定される場合（CellGroupConfigのMAC-CellGroupConfig内にcs-RNTIが含まれる場合）、ユーザ端末は、ＣＳ−ＲＮＴＩでＣＲＣスクランブルされるＤＣＩを、以下の少なくとも一つのサーチスペースで監視してもよい：
・ＰＣｅｌｌ／ＰＳＣｅｌｌにおいて、pdcch-ConfigCommonで設定される一以上のＣＳＳ、
・ＰＣｅｌｌ／ＰＳＣｅｌｌにおいて、pdcch-Configで設定され、かつ、ＤＣＩフォーマット０＿０及び１＿０での監視が設定されるＣＳＳ、
・ＰＣｅｌｌ／ＰＳＣｅｌｌ及びＳＣｅｌｌにおいて、pdcch-Configで設定されるＵＳＳ。
【００５６】
また、ユーザ端末は、Ｃ−ＲＮＴＩでＣＲＣスクランブルされるＤＣＩを、上記ＣＳ−ＲＮＴＩでＣＲＣスクランブルされるＤＣＩが監視されるサーチスペースで監視してもよい。
【００５７】
図３は、第１の態様の変更例に係るＣＳ−ＲＮＴＩによってＣＲＣスクランブルされるＤＣＩの監視制御の一例を示す図である。図３では、図２との相違点を中心に説明する。図３では、ユーザ端末は、サービングセル＃１（ＰＣｅｌｌ／ＰＳＣｅｌｌ）において、pdcch-Configで設定され、かつ、ＤＣＩフォーマット０＿０及び１＿０での監視が設定されるＣＳＳで、ＣＳ−ＲＮＴＩでＣＲＣスクランブルされるＤＣＩを監視してもよい。
【００５８】
このように、図３では、ユーザ端末は、サービングセル＃２（ＳＣｅｌｌ）において、pdcch-Configで設定され、かつ、ＤＣＩフォーマット０＿０及び１＿０での監視が設定されるＣＳＳでは、ＣＳ−ＲＮＴＩでＣＲＣスクランブルされるＤＣＩを監視しない点で、図２と異なる。
【００５９】
図３では、ＣＳ−ＲＮＴＩでＣＲＣスクランブルされるＤＣＩを監視する条件と、Ｃ−ＲＮＴＩでＣＲＣスクランブルされるＤＣＩを監視する条件とが等しくなる。このため、ユーザ端末におけるＤＣＩの監視（ブラインド復号）に係る動作を簡易化できる。
【００６０】
以上のように、第１の態様では、セルグループに設定されるＣＳ−ＲＮＴＩでＣＲＣスクランブルされるＤＣＩの監視を、サーチスペースの設定に用いられるＲＲＣパラメータ（例えば、pdcch-ConfigCommon、pdcch-Config）、及び、当該サーチスペースのタイプ（例えば、ＣＳＳ、ＵＳＳ）の少なくとも一つに基づいて制御する。このため、セルグループ内のセル内に設定されるサーチスペースにおける、ＣＳ−ＲＮＴＩでＣＲＣスクランブルされるＤＣＩの監視を適切に制御できる。
【００６１】
（第２の態様）
図１で説明したように、SPS-Config及びconfiguredGrantConfigは、ＢＷＰ単位でユーザ端末に設定される。一方、ＣＳ−ＲＮＴＩは、セルグループ単位でユーザ端末に設定される。このため、第１の態様の条件に従うと、あるサービングセル（又はＢＷＰ）では、SPS-Config又はconfiguredGrantConfigが設定されていないのに、ユーザ端末が、ＣＳ−ＲＮＴＩでＣＲＣスクランブルされるＤＣＩの監視を行う恐れがある。
【００６２】
図４Ａ及び４Ｂは、それぞれ、SPS-Config又はconfiguredGrantConfigが設定されていないのにＣＳ−ＲＮＴＩでＣＲＣスクランブルされるＤＣＩが監視されるＤＬ  ＢＷＰ及びサービングセルの一例が示される。なお、図４Ａ及び４Ｂでは、図２及び３との相違点を中心に説明する。
【００６３】
例えば、図４Ａでは、サービングセル＃１のＢＷＰ＃２にSPS-Configが設定され、サービングセル＃２のＢＷＰ＃２にconfiguredGrantConfigが設定されるものとする。また、図４Ｂでは、サービングセル＃２のＢＷＰ＃１にSPS-Configが設定され、ＢＷＰ＃２にconfiguredGrantConfigが設定されるものとする。
【００６４】
図４Ｂのサービングセル＃１では、SPS-Config及びconfiguredGrantConfigのいずれも設定されていない。一方、サービングセル＃１はＰＣｅｌｌ／ＰＳＣｅｌｌであるので、上記第１の態様の条件に従うと、ユーザ端末は、サービングセル＃１において、pdcch-ConfigCommonで設定される全てのＣＳＳ、pdcch-Configで設定され、かつ、ＤＣＩフォーマット０＿０及び１＿０での監視が設定されるＣＳＳ、pdcch-Configで設定されるＵＳＳの少なくとも一つを監視することになる。
【００６５】
そこで、第２の態様では、特定のＢＷＰにSPS-Config又はconfiguredGrantConfigが設定されるサービングセルにおいて、ＣＳ−ＲＮＴＩでＣＲＣスクランブルされるＤＣＩを監視してもよい。当該特定のＢＷＰは、例えば、アクティブ状態のＢＷＰ（アクティブＢＷＰ）であってもよい。
【００６６】
具体的には、ユーザ端末は、ＣＳ−ＲＮＴＩでＣＲＣスクランブルされるＤＣＩを、以下の少なくとも一つのサーチスペースで監視してもよい。
・ＰＣｅｌｌ／ＰＳＣｅｌｌにおいて、サービングセルのアクティブＢＷＰがSPS-Config又はconfiguredGrantConfigを有するなら、pdcch-ConfigCommonで設定される全てのＣＳＳ
・ＰＣｅｌｌ／ＰＳＣｅｌｌ及びＳＣｅｌｌにおいて、サービングセルのアクティブＢＷＰがSPS-Config又はconfiguredGrantConfigを有するなら、pdcch-Configで設定され、かつ、ＤＣＩフォーマット０＿０及び１＿０での監視が設定されるＣＳＳ
・ＰＣｅｌｌ／ＰＳＣｅｌｌ及びＳＣｅｌｌにおいて、サービングセルのアクティブＢＷＰがSPS-Config又はconfiguredGrantConfigを有するなら、pdcch-Configで設定されるＵＳＳ
【００６７】
図５Ａ及び５Ｂは、第２の態様に係るＣＳ−ＲＮＴＩによってＣＲＣスクランブルされるＤＣＩの監視制御の一例を示す図である。なお、図５Ａ及び５Ｂでは、サービングセル＃１（ＰＣｅｌｌ／ＰＳＣｅｌｌ）のＢＷＰ＃２がアクティブ状態であり、サービングセル＃２（ＳＣｅｌｌ）のＢＷＰ＃１がアクティブ状態であるものとするが、これに限られないことは勿論である。また、図５Ａ及び５Ｂでは、図４Ａ及び４Ｂとの相違点を中心に説明する。
【００６８】
図５Ａでは、サービングセル＃１（ＰＣｅｌｌ／ＰＳＣｅｌｌ）のアクティブＢＷＰ＃２にSPS-Configが設定される。一方、サービングセル＃２（ＳＣｅｌｌ）のアクティブＢＷＰ＃１にはconfiguredGrantConfig又はSPS-Configのいずれも設定されない。
【００６９】
図５Ａにおいて、ユーザ端末は、サービングセル＃１（ＰＣｅｌｌ／ＰＳＣｅｌｌ）のアクティブＢＷＰ＃２にSPS-Configが設定されるので、サービングセル＃１において、pdcch-ConfigCommonで設定される全てのＣＳＳで、ＣＳ−ＲＮＴＩでＣＲＣスクランブルされるＤＣＩを監視してもよい。
【００７０】
また、図５Ａにおいて、ユーザ端末は、サービングセル＃１（ＰＣｅｌｌ／ＰＳＣｅｌｌ）のアクティブＢＷＰ＃２にSPS-Configが設定されるので、サービングセル＃１において、pdcch-Configで設定され、かつ、ＤＣＩフォーマット０＿０及び１＿０での監視が設定されるＣＳＳで、ＣＳ−ＲＮＴＩでＣＲＣスクランブルされるＤＣＩを監視してもよい。
【００７１】
同様に、図５Ａにおいて、ユーザ端末は、サービングセル＃１（ＰＣｅｌｌ／ＰＳＣｅｌｌ）のアクティブＢＷＰ＃２にSPS-Configが設定されるので、サービングセル＃１において、pdcch-Configで設定されるＵＳＳで、ＣＳ−ＲＮＴＩでＣＲＣスクランブルされるＤＣＩを監視してもよい。
【００７２】
一方、図５Ａにおいて、ユーザ端末は、サービングセル＃２（ＳＣｅｌｌ）のアクティブＢＷＰ＃１にSPS-Config及びconfiguredGrantConfigのいずれも設定されないので、サービングセル＃２では、pdcch-Configで設定され、かつ、ＤＣＩフォーマット０＿０及び１＿０での監視が設定されるＣＳＳで、ＣＳ−ＲＮＴＩでＣＲＣスクランブルされるＤＣＩを監視しなくともよい。
【００７３】
同様に、図５Ａにおいて、ユーザ端末は、サービングセル＃２（ＳＣｅｌｌ）のアクティブＢＷＰ＃１にSPS-Config及びconfiguredGrantConfigのいずれもが設定されないので、サービングセル＃２において、pdcch-Configで設定されるＵＳＳで、ＣＳ−ＲＮＴＩでＣＲＣスクランブルされるＤＣＩを監視しなくともよい。
【００７４】
一方、図５Ｂでは、サービングセル＃１（ＰＣｅｌｌ／ＰＳＣｅｌｌ）のアクティブＢＷＰ＃２にはSPS-Config及びconfiguredGrantConfigのいずれも設定されない。サービングセル＃２（ＳＣｅｌｌ）のアクティブＢＷＰ＃１にはSPS-Configが設定される。
【００７５】
図５Ｂにおいて、ユーザ端末は、サービングセル＃１（ＰＣｅｌｌ／ＰＳＣｅｌｌ）のアクティブＢＷＰ＃２にSPS-Config及びconfiguredGrantConfigのいずれも設定されないので、サービングセル＃１では、どのＣＳＳでも、ＣＳ−ＲＮＴＩでＣＲＣスクランブルされるＤＣＩを監視しなくともよい。
【００７６】
一方、図５Ｂにおいて、ユーザ端末は、サービングセル＃２（ＳＣｅｌｌ）のアクティブＢＷＰ＃１にSPS-Configが設定されるので、サービングセル＃２において、pdcch-Configで設定され、かつ、ＤＣＩフォーマット０＿０及び１＿０での監視が設定されるＣＳＳで、ＣＳ−ＲＮＴＩでＣＲＣスクランブルされるＤＣＩを監視してもよい。
【００７７】
同様に、図５Ｂにおいて、ユーザ端末は、サービングセル＃２（ＳＣｅｌｌ）のアクティブＢＷＰ＃１にSPS-Configが設定されるので、サービングセル＃２において、pdcch-Configで設定されるＵＳＳで、ＣＳ−ＲＮＴＩでＣＲＣスクランブルされるＤＣＩを監視してもよい。
【００７８】
＜変更例＞
上記第２の態様では、サービングセルのアクティブＢＷＰがSPS-Config又はconfiguredGrantConfigを有するなら、pdcch-Configで設定され、かつ、ＤＣＩフォーマット０＿０及び１＿０での監視が設定されるＣＳＳについては、ＰＣｅｌｌ／ＰＳＣｅｌｌに設定される場合だけでなくＳＣｅｌｌに設定される場合について説明した。第２の態様の変更例では、当該ＣＳＳについては、ＰＣｅｌｌ／ＰＳＣｅｌｌで監視され、ＳＣｅｌｌでは開始されなくともよい。
【００７９】
具体的には、ユーザ端末に設定されるセルグループにＣＳ−ＲＮＴＩが設定される場合（CellGroupConfigのMAC-CellGroupConfig内にcs-RNTIが含まれる場合）、ユーザ端末は、ＣＳ−ＲＮＴＩでＣＲＣスクランブルされるＤＣＩを、以下の少なくとも一つのサーチスペースで監視してもよい：
・ＰＣｅｌｌ／ＰＳＣｅｌｌにおいて、サービングセルのアクティブＢＷＰがSPS-Config又はconfiguredGrantConfigを有するなら、pdcch-ConfigCommonで設定される一以上のＣＳＳ、
・ＰＣｅｌｌ／ＰＳＣｅｌｌにおいて、サービングセルのアクティブＢＷＰがSPS-Config又はconfiguredGrantConfigを有するなら、pdcch-Configで設定され、かつ、ＤＣＩフォーマット０＿０及び１＿０での監視が設定されるＣＳＳ、
・ＰＣｅｌｌ／ＰＳＣｅｌｌ及びＳＣｅｌｌにおいて、サービングセルのアクティブＢＷＰがSPS-Config又はconfiguredGrantConfigを有するなら、pdcch-Configで設定されるＵＳＳ。
【００８０】
第２の態様では、ユーザ端末は、SPS-Config及びconfiguredGrantConfigのいずれも設定されていないサービングセルにおいて、ＣＳ−ＲＮＴＩでＣＲＣスクランブルされるＤＣＩを監視されるのを防止でき、当該ＤＣＩの監視に係る処理負荷を第１の態様と比べて軽減できる。
【００８１】
（第３の態様）
第２の態様では、サービングセルのアクティブＢＷＰがSPS-Config及びconfiguredGrantConfigのいずれも有しない場合、ユーザ端末は、どのＣＳＳでも、ＣＳ−ＲＮＴＩでＣＲＣスクランブルされるＤＣＩを監視しなくともよいものと規定する。
【００８２】
一方、第３の態様では、サービングセルのアクティブＢＷＰ（アクティブ状態のＤＬ  ＢＷＰ及びＵＬ  ＢＷＰの少なくとも一つ）がSPS-Config及びconfiguredGrantConfigのいずれも有しない場合、ユーザ端末が、上記第１の態様及び第１の態様の変更例で説明した条件を満たすサーチスペースにおいて、ＣＳ−ＲＮＴＩでＣＲＣスクランブルされるＤＣＩを監視するか否かは、ユーザ端末の実装（implementation）次第であってもよい。
【００８３】
或いは、第３の態様では、サービングセルがSPS-Config及びconfiguredGrantConfigのいずれも有しない場合、ユーザ端末が、上記第１の態様及び第１の態様の変更例で説明した条件を満たすサーチスペースにおいて、ＣＳ−ＲＮＴＩでＣＲＣスクランブルされるＤＣＩを監視するか否かは、ユーザ端末の実装次第であってもよい。
【００８４】
しかしながら、SPS-Config及びconfiguredGrantConfigのいずれも与えられていないサービングセル又はアクティブＢＷＰにおいて、ユーザ端末は、ＳＰＳによりＰＤＳＣＨの受信又は設定グラントによるＰＵＳＣＨの送信を予期しなくともよい。
【００８５】
第３の態様では、ユーザ端末の実装次第でより柔軟に、ＣＳ−ＲＮＴＩでＣＲＣスクランブルされるＤＣＩの監視を制御可能となる。
【００８６】
（第４の態様）
第４の態様では、ＣＳ−ＲＮＴＩでＣＲＣスクランブルされるＤＣＩを用いたクロスキャリアのＳＰＳ及び設定グラントの少なくとも一つ（ＳＰＳ／設定グラント）のアクティブ化及び非アクティブ化の少なくとも一つ（アクティブ化／非アクティブ化）の制御について説明する。
【００８７】
第４の態様において、ＣＳ−ＲＮＴＩでＣＲＣスクランブルされ、かつ、キャリア識別子フィールド（ＣＩＦ：Carrier  Indicator  Field）を含むＤＣＩ（例えば、ＤＣＩフォーマット０＿１及び１＿１の少なくとも一つ（ＤＣＩフォーマット０＿１／１＿１））を用いた、クロスキャリアの（異なるセルの）ＳＰＳ／設定グラントのアクティブ化／非アクティブ化がサポートされてもよい。
【００８８】
ここで、ＣＩＦは、ＰＤＳＣＨ又はＰＵＳＣＨがスケジューリングされるセル（サービングセル、キャリア）を示す所定フィールド（第１のフィールド）である。
【００８９】
第４の態様において、ＣＳ−ＲＮＴＩでＣＲＣスクランブルされ、かつ、ＣＩＦを含まないＤＣＩ（例えば、ＤＣＩフォーマット０＿０及び１＿０の少なくとも一つ（ＤＣＩフォーマット０＿０／１＿０））を用いた、同一セル内のＳＰＳ／設定グラントのアクティブ化／非アクティブ化がサポートされてもよい。
【００９０】
ここで、ＣＳ−ＲＮＴＩでスクランブルされるＤＣＩフォーマット０＿０／０＿１は、設定グラントのＰＵＳＣＨのアクティブ化、非アクティブ化及び再送の少なくとも一つの制御に用いられてもよい。一方、ＣＳ−ＲＮＴＩでスクランブルされるＤＣＩフォーマット１＿０／１＿１は、ＳＰＳのＰＤＳＣＨのアクティブ化、非アクティブ化及び再送の少なくとも一つの制御に用いられてもよい。
【００９１】
ＣＳ−ＲＮＴＩでスクランブルされるＤＣＩフォーマット０＿１／１＿１は、当該ＤＣＩフォーマット０＿１／１＿１内のＣＩＦによって指定されるサービングセルのＳＰＳ／設定グラントのアクティブ化／非アクティブ化を制御してもよい。この場合、ユーザ端末にクロスキャリアスケジューリングが適用されてもよい。
【００９２】
図６は、第４の態様に係るＳＰＳ／設定グラントのアクティブ化／非アクティブ化の制御の一例を示す図である。図６に示すように、ユーザ端末は、サービングセル＃１でＣＳ−ＲＮＴＩを用いて検出されるＤＣＩフォーマット０＿１／１＿１のＣＩＦによって指定されるキャリア（ここでは、サービングセル＃２）のＳＰＳ／設定グラントのアクティブ化／非アクティブ化を、当該ＤＣＩフォーマット０＿１／１＿１に基づいて制御してもよい。
【００９３】
図６に示すように、ＣＩＦを含むＤＣＩフォーマット０＿１／１＿１を用いたクロスキャリアのＳＰＳ／設定グラントのアクティブ化／非アクティブ化の制御は、上記第２又は第３の態様に好適である。一方、ＣＩＦを含まないＤＣＩフォーマット０＿０／１＿０を用いた同一セル内のＳＰＳ／設定グラントのアクティブ化／非アクティブ化の制御は、上記第１の態様に好適である。このように、第４の態様は、第１〜第３の態様の少なくとも一つを組み合わせることができる。
【００９４】
第４の態様では、ＣＳ−ＲＮＴＩでＣＲＣスクランブルされるＤＣＩを用いたクロスキャリア又は同一セル内でのＳＰＳ／設定グラントのアクティブ化／非アクティブ化の制御が可能となる。
【００９５】
（第５の態様）
第５の態様では、ＣＳ−ＲＮＴＩでＣＲＣスクランブルされるＤＣＩを用いたクロスＢＷＰのＳＰＳ／設定グラントのアクティブ化／非アクティブ化の制御について説明する。第５の態様では、第４の態様との相違点を中心に説明する。
【００９６】
第５態様において、ＣＳ−ＲＮＴＩでＣＲＣスクランブルされ、かつ、帯域幅部分識別子フィールド（ＢＩ：Bandwidth  part  indicator  Field）を含むＤＣＩ（例えば、ＤＣＩフォーマット０＿１及び１＿１の少なくとも一つ（ＤＣＩフォーマット０＿１／１＿１））を用いた、クロスＢＷＰの（異なるＢＷＰの）ＳＰＳ／設定グラントのアクティブ化／非アクティブ化がサポートされてもよい。
【００９７】
ここで、ＢＩフィールドは、ＰＤＳＣＨ又はＰＵＳＣＨがスケジューリングされるＢＷＰを示す所定フィールド（第２のフィールド）である。
【００９８】
また、第５の態様では、ＣＳ−ＲＮＴＩでＣＲＣスクランブルされ、かつ、ＢＩフィールドを含まないＤＣＩ（例えば、ＤＣＩフォーマット０＿０及び１＿０の少なくとも一つ（ＤＣＩフォーマット０＿０／１＿０））を用いた、同一ＢＷＰ（与えられたアクティブＢＷＰ）内のＳＰＳ／設定グラントのアクティブ化／非アクティブ化がサポートされてもよい。
【００９９】
ＣＳ−ＲＮＴＩでスクランブルされるＤＣＩフォーマット０＿１／１＿１は、当該ＤＣＩフォーマット０＿１／１＿１内のＢＩフィールドによって指定されるＢＷＰのＳＰＳ／設定グラントのアクティブ化／非アクティブ化を制御してもよい。この場合、ユーザ端末に動的なＢＷＰのアクティブ化が適用されてもよい。
【０１００】
図７は、第５の態様に係るＳＰＳ／設定グラントのアクティブ化／非アクティブ化の制御の一例を示す図である。図７に示すように、ユーザ端末は、サービングセル＃１のＢＷＰ＃１でＣＳ−ＲＮＴＩを用いて検出されるＤＣＩフォーマット０＿１／１＿１のＢＩフィールドによって指定されるＢＷＰ（ここでは、サービングセル＃１のＢＷＰ＃２）のＳＰＳ／設定グラントのアクティブ化／非アクティブ化を、当該ＤＣＩフォーマット０＿１／１＿１に基づいて制御してもよい。
【０１０１】
図７に示すように、ＢＩフィールドを含むＤＣＩフォーマット０＿１／１＿１を用いたクロスＢＷＰのＳＰＳ／設定グラントのアクティブ化／非アクティブ化の制御は、上記第１の態様に好適である。一方、ＢＩフィールドを含まないＤＣＩフォーマット０＿０／１＿０を用いた同一ＢＷＰ内のＳＰＳ／設定グラントのアクティブ化／非アクティブ化の制御は、上記第２又は第３の態様に好適である。このように、第５の態様は、第１〜第４の態様の少なくとも一つを組み合わせることができる。
【０１０２】
第５の態様では、ＣＳ−ＲＮＴＩでＣＲＣスクランブルされるＤＣＩを用いたクロスＢＷＰ又は同一ＢＷＰ内でのＳＰＳ／設定グラントのアクティブ化／非アクティブ化の制御が可能となる。
【０１０３】
（第６の態様）
第６の態様では、ＳＣｅｌｌのＣＳＳが、ＳＰＳ／設定グラントのアクティブ化／非アクティブ化に用いられる場合、ＳＣｅｌｌのＣＳＳで検出されるＤＣＩによってアクティブ化されるＳＰＳ／設定グラント用のリソース割り当ては、当該ＤＣＩが受信されるＣＯＲＥＳＥＴ内の一以上のリソースブロック（ＲＢ）に制限されてもよい。
【０１０４】
図８は、第６の態様に係るＳＰＳ／設定グラント用のリソース割り当ての一例を示す図である。図８に示すように、ＳＣｅｌｌ内のＣＳＳで、ＣＳ−ＲＮＴＩによってＣＲＣスクランブルされるＤＣＩによってアクティブ化されるＳＰＳ／設定グラント用の割り当てリソースは、当該ＤＣＩが検出されるＣＯＲＥＳＥＴを構成する少なくとも一部のＲＢであってもよい。
【０１０５】
（その他の態様）
ＳＣｅｌｌ用のＣＳＳは、pdcch-Configで設定されてもよい。pdcch-Configを用いて設定されるサーチスペースの設定情報（SearchSpace  IE）がＣＳＳを示すタイプ情報（SearchSpaceType）を含む場合、当該サーチスペース（ＣＳＳ）は、ＤＣＩフォーマット０＿０、１＿０、２＿０、２＿１、２＿２、２＿３の少なくとも一つでの監視が設定されてもよい。また、当該ＣＳＳにおいて、Ｃ−ＲＮＴＩ、ＣＳ−ＲＮＴＩ、ＩＮ−ＲＮＴＩ、ＴＰＣ−ＰＵＳＣＨ−ＲＮＴＩ、ＴＰＣ−ＰＵＣＣＨ−ＲＮＴＩ、ＴＰＣ−ＳＲＳ−ＲＮＴＩの少なくとも一つでＣＲＣスクランブルされるＤＣＩが送信されてもよい。
【０１０６】
ＳＣｅｌｌ用のＣＳＳは、pdcch-ConfigCommonで設定されてもよい。pdcch-ConfigCommonを用いて設定されるサーチスペースでは、ユーザ端末は、（もしＣ−ＲＮＴＩが割り当てられるなら）Ｃ−ＲＮＴＩ、又は、（ＣＳ−ＲＮＴＩが設定されるなら）ＣＳ−ＲＮＴＩでスクランブルされるＤＣＩフォーマット０＿０及び１＿０を監視してもよい。
【０１０７】
以上のＳＣｅｌｌ用のＣＳＳは、一以上のユーザ端末に共通のＰＤＣＣＨ（グループ共通ＰＤＣＣＨ）等に用いられてもよい。
【０１０８】
（無線通信システム）
以下、本実施の形態に係る無線通信システムの構成について説明する。この無線通信システムでは、本開示の上記各実施形態に係る無線通信方法のいずれか又はこれらの組み合わせを用いて通信が行われる。
【０１０９】
図９は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１１０】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１１１】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１１２】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【０１１３】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１１４】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１１５】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【０１１６】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０１１７】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０１１８】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１１９】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１２０】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１２１】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１２２】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１２３】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１２４】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１２５】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１２６】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１２７】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１２８】
＜無線基地局＞
図１０は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１２９】
下りリンクによって無線基地局１０からユーザ端末２０に送信されるユーザデータは、上位局装置３０から伝送路インターフェース１０６を介してベースバンド信号処理部１０４に入力される。
【０１３０】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１３１】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１３２】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１３３】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１３４】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１３５】
送受信部１０３は、セルグループ、セル、ＢＷＰ、ＣＯＲＥＳＥＴ、サーチスペースの少なくとも一つの設定情報を送信する。また、送受信部１０３は、ＤＣＩを送信する。
【０１３６】
図１１は、本実施の形態に係る無線基地局の機能構成の一例を示す図である。なお、本例では、本実施形態における特徴部分の機能ブロックを主に示しており、無線基地局１０は、無線通信に必要な他の機能ブロックも有すると想定されてもよい。
【０１３７】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１３８】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１３９】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１４０】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１４１】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１４２】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１４３】
制御部３０１は、ＣＯＲＥＳＥＴを用いてＤＣＩを送信する制御を行ってもよい。制御部３０１は、特定のサーチスペースでは、特定のＤＣＩフォーマット及び当該フォーマットに対応するＲＮＴＩを用いてＤＣＩを生成して送信する制御を行ってもよい。
【０１４４】
制御部３０１は、セルグループ、セル、ＢＷＰ、ＣＯＲＥＳＥＴ、サーチスペースの少なくとも一つの設定を制御し、これらの少なくとも一つの設定情報の送信を制御してもよい。
【０１４５】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１４６】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１４７】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１４８】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１４９】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１５０】
測定部３０５は、受信した信号に関する測定を実施する。測定部３０５は、本開示に係る技術分野での共通認識に基づいて説明される測定器、測定回路又は測定装置から構成することができる。
【０１５１】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１５２】
＜ユーザ端末＞
図１２は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１５３】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１５４】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１５５】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１５６】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１５７】
送受信部１０３は、セルグループ、セル、ＢＷＰ、ＣＯＲＥＳＥＴ、サーチスペースの少なくとも一つの設定情報を送信する。また、送受信部１０３は、ＤＣＩを送信する。
【０１５８】
図１３は、本実施の形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１５９】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１６０】
制御部４０１は、ユーザ端末２０全体の制御を実施する。制御部４０１は、本開示に係る技術分野での共通認識に基づいて説明されるコントローラ、制御回路又は制御装置から構成することができる。
【０１６１】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１６２】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１６３】
制御部４０１は、所定の識別子（例えば、Ｃ−ＲＮＴＩ、ＣＳ−ＲＮＴＩ、ＳＩ−ＲＮＴＩ、Ｐ−ＲＮＴＩ、ＲＡ−ＲＮＴＩ、ＴＣ−ＲＮＴＩ、ＩＮＴ−ＲＮＴＩ、ＳＦＩ−ＲＮＴＩ、ＴＰＣ−ＰＵＳＣＨ−ＲＮＴＩ、ＴＰＣ−ＰＵＣＣＨ−ＲＮＴＩ、ＴＰＣ−ＳＲＳ−ＲＮＴＩ、ＳＰ−ＣＳＩ−ＲＮＴＩの少なくとも一つ）でＣＲＣスクランブルされるＤＣＩの監視を制御してもよい。
【０１６４】
制御部４０１は、セルグループ内のセル内に設定されるサーチスペースにおける、セルグループの設定情報に含まれる所定の識別子（例えば、ＣＳ−ＲＮＴＩ）でスクランブルされるＣＲＣビットを有するＤＣＩの監視を制御してもよい。
【０１６５】
前記サーチスペースは、前記セルグループ内のプライマリセル（Ｐセル）又はプライマリセカンダリセル（ＰＳセル）においてセル固有の下り制御チャネルに関する情報に基づいて設定される共通サーチスペース、前記セルグループ内の前記Ｐセル又は前記ＰＳセルとセカンダリセル（Ｓセル）においてユーザ端末固有の下り制御チャネルに関する情報に基づいて設定される共通サーチスペース及びユーザ端末固有サーチスペース、前記Ｐセル又は前記ＰＳセルにおいて前記ユーザ端末固有の下り制御チャネルに関する情報に基づいて設定される共通サーチスペースの少なくとも一つであってもよい。
【０１６６】
制御部４０１は、セルグループ内のセル内のアクティブ状態の帯域幅部分に対して動的スケジューリングなしの下り又は上りの送信が設定される場合、前記サーチスペースにおける前記下り制御情報の監視を制御してもよい。
【０１６７】
前記ＤＣＩは、下り共有チャネル又は上り共有チャネルがスケジューリングされるセルを示す第１のフィールド（例えば、ＣＩＦ）を含んでもよい。制御部４０１は、前記ＤＣＩに基づいて、前記第１のフィールドが示す前記セルにおける動的スケジューリングなしの下り又は上りの送信のアクティブ化又は非アクティブ化を制御してもよい。
【０１６８】
前記ＤＣＩは、下り共有チャネル又は上り共有チャネルがスケジューリングされる帯域幅部分を示す第２のフィールド（例えば、ＢＩフィールド）を含んでもよい。制御部４０１は、前記ＤＣＩに基づいて、前記第２のフィールドが示す前記帯域幅部分における動的スケジューリングなしの下り又は上りの送信のアクティブ化又は非アクティブ化を制御してもよい。
【０１６９】
また、制御部４０１は、無線基地局１０から通知された各種情報を受信信号処理部４０４から取得した場合、当該情報に基づいて制御に用いるパラメータを更新してもよい。
【０１７０】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１７１】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１７２】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１７３】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１７４】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１７５】
測定部４０５は、受信した信号に関する測定を実施する。測定部４０５は、本開示に係る技術分野での共通認識に基づいて説明される測定器、測定回路又は測定装置から構成することができる。
【０１７６】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１７７】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１７８】
例えば、本開示の本実施の形態における無線基地局、ユーザ端末などは、本開示の無線通信方法の処理を行うコンピュータとして機能してもよい。図１４は、本実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７９】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１８０】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１８１】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１８２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１８３】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１８４】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本実施の形態に係る無線通信方法を実施するために実行可能なプログラム（プログラムコード）、ソフトウェアモジュールなどを保存することができる。
【０１８５】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１８６】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１８７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１８８】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１８９】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１９０】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１９１】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０１９２】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０１９３】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１９４】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１９５】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１９６】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１９７】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１９８】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１９９】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２００】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２０１】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２０２】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２０３】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２０４】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２０５】
また、情報、信号などは、上位レイヤから下位レイヤ、及び／又は下位レイヤから上位レイヤへ出力され得る。情報、信号などは、複数のネットワークノードを介して入出力されてもよい。
【０２０６】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２０７】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２０８】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２０９】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２１０】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２１１】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２１２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２１３】
本明細書において使用する「システム」及び「ネットワーク」という用語は、互換的に使用される。
【０２１４】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２１５】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２１６】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０２１７】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２１８】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本開示の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２１９】
同様に、本明細書におけるユーザ端末は、無線基地局で読み替えてもよい。この場合、上述のユーザ端末２０が有する機能を無線基地局１０が有する構成としてもよい。
【０２２０】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２２１】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２２２】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２２３】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２２４】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２２５】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２２６】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２２７】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２２８】
本明細書において、「ＡとＢが異なる」という用語は、「ＡとＢが互いに異なる」ことを意味してもよい。「離れる」、「結合される」などの用語も同様に解釈されてもよい。
【０２２９】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２３０】
以上、本開示に係る発明について詳細に説明したが、当業者にとっては、本開示に係る発明が本明細書中に説明した実施形態に限定されないということは明らかである。本開示に係る発明は、請求の範囲の記載に基づいて定まる発明の趣旨及び範囲を逸脱することなく修正及び変更態様として実施することができる。したがって、本明細書の記載は、例示説明を目的とし、本開示に係る発明に対して何ら制限的な意味をもたらさない。
【図１】
2019215876.tif 000003
【図２】
2019215876.tif 000004
【図３】
2019215876.tif 000005
【図４】
2019215876.tif 000006
【図５】
2019215876.tif 000007
【図６】
2019215876.tif 000008
【図７】
2019215876.tif 000009
【図８】
2019215876.tif 000010
【図９】
2019215876.tif 000011
【図１０】
2019215876.tif 000012
【図１１】
2019215876.tif 000013
【図１２】
2019215876.tif 000014
【図１３】
2019215876.tif 000015
【図１４】
2019215876.tif 000016
【国際調査報告】
2019215876.tif 000017
2019215876.tif 000018
2019215876.tif 000019
2019215876.tif 000020